(57)【要約】【課題】泡立ち性と洗浄時や濯ぎ時のぬるつき改善の両方を満足する液体洗浄剤の提供。【解決手段】（ａ）下記一般式（１）の化合物を０．１〜１０質量％、（ｂ）炭素数１０〜１８の炭化水素基を有する陰イオン界面活性剤を５〜５０質量％、（ｃ）炭素数１０〜１８の炭化水素基を有するアミンオキシド型界面活性剤を１〜１５質量％、及び（ｄ）水を含有する液体洗浄剤組成物。Ｒ１ａ−（ＯＲ１ｂ）ａ−ＯＨ        （１）〔式中、Ｒ１ａは２−エチルヘキシル基であり、Ｒ１ｂは炭素数２〜４のアルキレン基、ａは平均値２〜５の数を示す。〕【選択図】  なし【特許請求の範囲】
【請求項１】
（ａ）下記一般式（１）の化合物を０．１〜１０質量％、（ｂ）炭素数１０〜１８の炭化水素基を有する陰イオン界面活性剤を５〜５０質量％、（ｃ）炭素数１０〜１８の炭化水素基を有するアミンオキシド型界面活性剤を１〜１５質量％、及び（ｄ）水を含有する液体洗浄剤組成物。
Ｒ１ａ−（ＯＲ１ｂ）ａ−ＯＨ        （１）
〔式中、Ｒ１ａは２−エチルヘキシル基であり、Ｒ１ｂは炭素数２〜４のアルキレン基、ａは平均値２〜５の数を示す。〕
【請求項２】
（ｂ）／（ｃ）の質量比が２０／１〜１／１である請求項１記載の液体洗浄剤組成物。
【請求項３】
請求項１又は２記載の液体洗浄剤組成物を希釈せずに含浸させた可撓性材料を用いて硬質表面を洗浄する方法。
【発明の詳細な説明】
【０００１】
【発明の属する技術分野】
本発明は液体洗浄剤組成物、食器や調理器具等の硬質表面や台所まわりの硬質表面の洗浄に適した液体洗浄剤組成物、及びそれを用いた洗浄方法に関する。
【０００２】
【従来の技術】
食器洗い用洗浄剤には、洗浄力の観点から界面活性剤として陰イオン界面活性剤を主成分として用いているものが多く、更に油汚れに対する洗浄力を向上させるために、アミンオキシド型界面活性剤を増泡剤として併用することが多い。これはアミンオキサイドが、中・酸性領域において陽イオン性の性質を持つため、陰イオン界面活性剤の陰イオンとイオン性のコンプレックスを形成し、これにより油に対する乳化力が向上し、結果として洗浄力が向上するものと思われる。
【０００３】
一方、近年、環境負荷軽減の観点から、界面活性剤の濃度を高め、容器の樹脂量を低減させた濃縮タイプの液体洗浄剤が好まれて使用されている。このような濃縮化の傾向があるのにもかかわらず、食器洗い用洗浄剤の使用方法は、以前にも増してスポンジに洗浄剤を直接塗付して洗浄する方法が一般化してきており、食器、まな板等の調理器具の硬質表面に高濃度の界面活性剤が接触しやすくなっている。
【０００４】
高濃度の界面活性剤と硬質表面の接触は、硬質表面に付着した油汚れを除去しやすくする一方で、過剰な界面活性剤が、ぬるつきの問題を発生させる原因となる。ぬるつきとは、洗浄時ないし濯ぎ時に、指や掌等と洗浄対象表面との間で感じられるものであり、洗浄剤がまるで油膜として平滑な被洗浄表面に存在するような感触であって、その感触は洗浄時のみならず、濯ぎ時にもなかなか除去できないものである。基本的にぬるつきは、濯ぎを充分に行なうこと（通常の濯ぎ時間よりも濯ぎ時間を長くすること）で解消できるが、濯ぎ時のなかなか拭えないぬるつき感は、使用者に不快感や洗剤に対する不信感を与えるほか、濯ぎ時間の増加による濯ぎ水の浪費にも繋がる。
【０００５】
ぬるつきは、アミンオキサイド型界面活性剤を使用することでより顕著になる。原因としては、アミオキサイド型界面活性剤自体が他の界面活性剤と比較してぬるつき易い性質を示すことが挙げられるが、前記コンプレックスの形成も影響していることが推測される。アミンオキシド型界面活性剤の量を低減化すると洗浄時や濯ぎ時のぬるつきは改善されるものの、泡立ち性が損なわれるため、泡立ち性と洗浄時や濯ぎ時のぬるつき改善の両方を満足する液体洗浄剤が求められている。
【０００６】
ポリオキシアルキレン型非イオン界面活性剤は、上記した陰イオン界面活性剤及びアミンオキシド型界面活性剤と同様に液体洗浄剤に汎用されている界面活性剤であり、これらを組み合わせた液体洗浄剤が知られている。
【０００７】
特許文献１には、特定の陰イオン界面活性剤とアミンオキシド型界面活性剤、及び非イオン界面活性剤を含有する台所用洗浄剤が開示されており、非イオン界面活性剤のアルキル基がイソオクチル、イソノニル、イソデシルなどの分岐アルキル基であるものが例示されている。特許文献２には、特定鎖長のアルキル基を有する非イオン界面活性剤を含有する食器洗いに好適な水性消毒性液体配合物が開示されている。特許文献３には、炭素数２  〜３０分岐アルコールにアルキレンオキシドを付加した非イオン界面活性剤を含有する食器洗い洗浄剤が例示されている。特許文献４には、オクタノール、デカノールなどの中鎖のアルコールに４〜９モルのエチレンオキシドを付加させた非イオン界面活性剤が開示されている。
【０００８】
しかしながら、これらの特許文献には、ごく限られた特定の化合物が、洗浄時に被洗浄物のぬるつきが抑制され、濯ぎ時に被洗浄物のぬるつきが速やかに除かれるという優れた効果は示唆もされておらず、前記効果は当業者も予測することはできない。しかもこれらの特許文献では、食器洗い用洗浄剤の泡立ち性と洗浄時や濯ぎ時のぬるつき改善の両方を満足するという課題は解決されていない。
【０００９】
特許文献５には、本発明の構成要件である（ａ）成分に相当する化合物を含有する洗浄剤が開示され、プラスチックなどの硬質表面の洗浄に効果的な洗浄剤が得られることが開示されている。しかしながら、高濃度の陰イオン界面活性剤とアミンオキシド型界面活性剤を併用した場合のぬるつきの問題に対しては開示がない。
【００１０】
【特許文献１】特開２００２  −２２６８８７号公報
【特許文献２】特開平７  −１８８６９７号公報
【特許文献３】特開平６  −１１６５８７号公報
【特許文献４】特表平８  −５０２５４０号公報
【特許文献５】特開２００３  −１３０９２号公報
【００１１】
【発明が解決しようとする課題】
本発明の課題は、泡立ち性と食器等の硬質表面の洗浄時や濯ぎ時のぬるつき改善の両方を満足する液体洗浄剤組成物、及びそれを用いた洗浄方法を提供することにある。
【００１２】
【課題を解決するための手段】
本発明は、課題の解決手段として、（ａ）下記一般式（１）の化合物を０．１〜１０質量％、（ｂ）炭素数１０〜１８の炭化水素基を有する陰イオン界面活性剤を５〜５０質量％、（ｃ）炭素数１０〜１８の炭化水素基を有するアミンオキシド型界面活性剤を１〜１５質量％、及び（ｄ）水を含有する液体洗浄剤組成物、及び洗浄方法を提供する。
【００１３】
Ｒ１ａ−（ＯＲ１ｂ）ａ−ＯＨ        （１）
〔式中、Ｒ１ａは２−エチルヘキシル基であり、Ｒ１ｂは炭素数２〜４のアルキレン基、ａは平均値２〜５の数を示す。〕
【００１４】
【発明の実施の形態】
＜（ａ）成分＞
本発明の（ａ）成分は、一般式（１）で表される化合物である。式中、Ｒ１ａは２−エチルヘキシル基であり、Ｒ１ｂは炭素数２〜４のアルキレン基、好ましくはエチレン基又はプロピレン基、特に好ましくはエチレン基であり、ａは平均値２〜５の数を示す。
【００１５】
一般式（１）の化合物は、２−エチルヘキサノールとアルキレンオキシド、好ましくはプロピレンオキシド及び／又はエチレンオキシド、特にエチレンオキシドをアルコール／アルキレンオキシドのモル比が１／２〜１／５になるように反応させて得られるもので、未反応の２−エチルヘキサノールを含んでもよい、ａが０〜１０程度（平均値で２〜５）の化合物の混合物である。
【００１６】
（ａ）成分は、一般式（１）の化合物と共に、合成時に生じる未反応アルコール（２−エチルヘキサノール）を含有していても良いが、含有量は少ない方が本発明の効果を得る上で好ましい。
【００１７】
（ａ）成分が一般式（１）の化合物と未反応アルコールとの混合物であるとき、（ａ）成分中の未反応アルコール（２−エチルヘキサノール）の含有量は、好ましくは５質量％以下、より好ましくは３質量％以下、更に好ましくは１質量％以下であり、未反応アルコールを含むａの平均値が２〜５であるものが好適である。
【００１８】
また、（ａ）成分は、一般式（１）の化合物を上記方法で合成後、更に蒸留等の操作を行って、未反応アルコール（ａ＝０の化合物）及び／又はａ＞５の化合物を除去したものを用いても良い。
【００１９】
ａの平均値はＨ１−ＮＭＲを用い、２−エチルヘキシル基のα位のプロトンとオキシエチレン基のプロトンとの積分値で容易に求めることができる。
【００２０】
＜（ｂ）成分＞
本発明の（ｂ）成分は、炭素数１０〜１８の炭化水素基を有する陰イオン界面活性剤であり、好ましい例としては、炭素数１０〜１５のアルキル基を有するアルキルベンゼンスルホン酸又はその塩、炭素数１０〜１６のモノアルキル硫酸エステル塩、炭素数１０〜１６のアルキル基を有し、炭素数２又は３のオキシアルキレン基が平均１．０〜４．０モル付加したポリオキシアルキレンアルキルエーテル硫酸エステル塩、炭素数８〜１６のα−オレフィンスルホン酸塩、α−スルホ脂肪酸（炭素数８〜１６）低級アルキル（炭素数１〜３）エステル塩を挙げることができる。塩としては、ナトリウム塩、カリウム塩、マグネシウム塩、アルカノールアミン塩が挙げられ、特に粘度の点からナトリウム塩、カリウム塩、マグネシウム塩が好ましい。
【００２１】
本発明では、特に炭素数１０〜１４のアルキル基を有し、炭素数２又は３のオキシアルキレン基、好ましくはオキシエチレン基が平均１．０〜３．０モル、特に好ましくは１．５〜３．０モル付加したポリオキシアルキレンアルキルエーテル硫酸エステル塩、好ましくはナトリウム塩、カリウム塩、カルシウム塩又はマグネシウム塩を用いることが、洗浄効果を向上させ、高濃度の陰イオン界面活性剤を含有する組成物の低温又は高温における貯蔵安定性を改善できるため好ましい。
【００２２】
（ｂ）成分としてポリオキシアルキレンアルキルエーテル硫酸エステル塩を用いる場合、直鎖１−アルケンをヒドロホルミル化して得られたアルコールを原料にして製造された分岐鎖１級アルキル基を有するポリオキシアルキレンアルキルエーテル硫酸エステル塩が好適である。ここで、ヒドロホルミル化とは、鉄、コバルト又はニッケル等のカルボニル錯体を触媒として用い、直鎖１−アルケンに一酸化炭素を付加させてアルコールを得る方法であり、直鎖アルキル基とメチル分岐アルキル基を含有するアルコールを得ることができる。
【００２３】
ポリオキシアルキレンアルキルエーテル硫酸エステル塩は、このようなヒドロホルミル化して得られたアルコールに、更にアルキレンオキシド、好ましくはプロピレンオキシド（以下、ＰＯと表記する）又はエチレンオキシド（以下、ＥＯと表記する）、より好ましくはＥＯを付加させ、更に三酸化イオウ又はクロルスルホン酸でスルホン化し、アルカリ剤で中和して得ることができる。
【００２４】
ＥＯ及び／又はＰＯの平均付加モル数は、好ましくは１．０〜３．０、より好ましくは１．５〜３．０、特に好ましくは１．５〜２．５であることが、洗浄効果の点から好ましい。中和に用いるアルカリ剤としては、水酸化ナトリウム、水酸化カリウム、水酸化マグネシウム、炭酸ナトリウム、炭酸カリウム、炭酸マグネシウムが好ましく、更に好ましくは水酸化ナトリウム、水酸化カリウム、水酸化マグネシウムである。
【００２５】
ポリオキシアルキレンアルキルエーテル硫酸エステル塩として、上記したような分岐アルキル基を含むものを用いるとき、全ポリオキシアルキレンアルキルエーテル硫酸エステル塩中のポリオキシアルキレン分岐鎖アルキルエーテル硫酸エステル塩の含有量は、５〜８０質量％、更に１０〜７０質量％であることが、優れた洗浄効果を達成するために好ましい。
【００２６】
特にポリオキシアルキレンアルキルエーテル硫酸エステル塩を、組成物中に１０質量％を超えて配合する場合（例えば、１５〜４０質量％の濃度で配合する場合）は、ポリオキシアルキレンアルキルエーテル硫酸エステル塩中のポリオキシアルキレン分岐鎖アルキルエーテル硫酸エステル塩の含有量は、上記含有量の範囲を満たすことが好ましい。ポリオキシアルキレンアルキルエーテル硫酸エステル塩自体は、他の界面活性剤よりもぬるつき感の少ない性質を示すが、アミンオキサイド型界面活性剤との併用によるぬるつき感の上昇とともに、高濃度化による増粘やゲル化によって被洗浄表面に残留しやすくなることから、ぬるつき感の増大が懸念されるが、上記した分岐鎖物の含有量範囲を満たすことにより、ぬるつき感が低減されるので好ましい。
【００２７】
＜（ｃ）成分＞
本発明の（ｃ）成分は、炭素数１０〜１８の炭化水素基を有するアミンオキシド型界面活性剤であり、下記一般式（２）の化合物が好ましい。
【００２８】
【化１】
2004352943.tif 000002
【００２９】
〔式中、Ｒ２ａは炭素数８〜１８のアルキル基又はアルケニル基であり、Ｒ２ｂは炭素数１〜６のアルキレン基であり、Ａは−ＣＯＯ−、−ＣＯＮＨ−、−ＯＣＯ−、−ＮＨＣＯ−から選ばれる基である。ｃは０又は１の数であり、Ｒ２ｃ、Ｒ２ｄは、それぞれ炭素数１〜３のアルキル基又はヒドロキシアルキル基である。〕
一般式（２）の化合物において、Ｒ２ａは、好ましくは炭素数１０〜１６、より好ましくは１０〜１４のアルキル基又はアルケニル基であり、特に好ましくはラウリル基（又はラウリン酸残基）及び／又はミリスチル基（又はミリスチン酸残基）である。Ａは、好ましくは−ＣＯＯ−又は−ＣＯＮＨ−であり、最も好ましくは−ＣＯＮＨ−である。Ｒ２ｂの炭素数は、好ましくは２又は３であり、Ｒ２ｃ、Ｒ２ｄは、好ましくはメチル基である。
【００３０】
一般式（２）の化合物は、式中のＲ２ａが単独のアルキル（又はアルケニル）鎖長のものでも、異なるアルキル（又はアルケニル）鎖長を有するものの混合物でもよい。後者の場合には、ヤシ油、パーム核油から選ばれる植物油から誘導される混合アルキル（又はアルケニル）鎖長を有するものが好適である。具体的には式中のＲ２ａがラウリル基（又はラウリン酸残基）とミリスチル基（又はミリスチン酸残基）のものの混合物であり、ラウリル基（又はラウリン酸残基）／ミリスチル基（又はミリスチン酸残基）のモル比が９５／５〜２０／８０、好ましくは９０／１０〜３０／７０の混合物であることが、洗浄効果及び泡立ち性の点から好ましい。
【００３１】
＜その他の成分＞
本発明では、陰イオン界面活性剤の乳化力を向上させ、洗浄効果を強化する目的から、マグネシウム〔以下、（ｅ）成分という〕を配合することが好ましい。（ｅ）成分のマグネシウムは、塩又は遊離したイオンとして系中に存在するものであり、（ｂ）成分の対イオンとして存在していてもよく、水溶性のマグネシウム化合物として配合することができる。
【００３２】
水溶性マグネシウム化合物としては、化学便覧基礎編ＩＩ（改定３版）  １６６頁  表８．４２、及び１９０頁  表８．４７に記載のマグネシウム化合物において、２０℃における水への溶解度が１ｇ／１００ｇ以上、好ましくは１０ｇ／１００ｇ以上の化合物が好適である。これらの中でも、硫酸マグネシウム、塩化マグネシウム、炭酸マグネシウム、硝酸マグネシウム、酢酸マグネシウムが最も好適である。
【００３３】
本発明では、洗浄力を強化する目的から、（ｂ）成分及び（ｃ）成分以外の界面活性剤〔以下、（ｆ）成分という〕を含有させることが好ましく、特に（ｃ）成分以外の両性界面活性剤、及び非イオン界面活性剤から選ばれる化合物が好適である。
【００３４】
両性界面活性剤としては、下記一般式（３）の化合物〔以下、（ｆ−１）成分という〕が好ましい。
【００３５】
【化２】
2004352943.tif 000003
【００３６】
〔式中、Ｒ３ａは炭素数９〜２３のアルキル基又はアルケニル基であり、Ｒ３ｂは炭素数１〜６のアルキレン基である。Ｂは−ＣＯＯ−、−ＣＯＮＨ−、−ＯＣＯ−、−ＮＨＣＯ−、−Ｏ−から選ばれる基であり、ｂは０又は１の数である。Ｒ３ｃ、Ｒ３ｄは、それぞれ炭素数１〜３のアルキル基又はヒドロキシアルキル基であり、Ｒ３ｅはヒドロキシ基で置換していてもよい炭素数１〜５のアルキレン基である。Ｄは−ＳＯ３−、−ＯＳＯ３−、−ＣＯＯ−から選ばれる基である。〕
一般式（３）において、Ｒ３ａは、好ましくは炭素数９〜１５、特に９〜１３のアルキル基であり、Ｒ３ｂは、好ましくは炭素数２又は３のアルキレン基である。Ｂは−ＣＯＮＨ−が好ましく、ｄは０又は１が好適である。Ｒ３ｃ、Ｒ３ｄはメチル基、又はヒドロキシエチル基が好ましい。Ｄは−ＳＯ３−、又は−ＣＯＯ−が好ましく、Ｄが−ＳＯ３−の場合にはＲ３ｅは−ＣＨ２ＣＨ（ＯＨ）ＣＨ２−が好ましく、Ｄが−ＣＯＯ−の場合にはＲ３ｅはメチレン基が好ましい。
【００３７】
非イオン界面活性剤〔以下、（ｆ−２）成分という〕としては、下記一般式（４）の化合物が好適である。
【００３８】
Ｒ４ａ−Ｅ−［（Ｒ４ｂＯ）ｅ−Ｈ］ｆ      （４）
〔式中、Ｒ４ａは、炭素数７〜１８のアルキル基又はアルケニル基であり、Ｒ４ｂは炭素数２又は３のアルキレン基である。ｅは２〜１００の数を示す。Ｅは−Ｏ−、−ＣＯＮ−又は−Ｎ−であり、Ｅが−Ｏ−の場合はｆは１であり、Ｅが−ＣＯＮ−又は−Ｎ−の場合はｆは２である。〕
一般式（４）の化合物の具体例としては、以下の化合物を挙げることができる。
【００３９】
Ｒ４ａ−Ｏ−（Ｃ２Ｈ４Ｏ）ｇ−Ｈ                  （４−ａ）
〔式中、Ｒ４ａは前記の意味を示す。ｇは２〜１００の数である。〕
Ｒ４ａ−Ｏ−（Ｃ２Ｈ４Ｏ）ｈ（Ｃ３Ｈ６Ｏ）ｉ−Ｈ        （４−ｂ）
〔式中、Ｒ４ａは前記の意味を示す。ｈ及びｉはそれぞれ独立に２〜７０の数であり、エチレンオキシドとプロピレンオキシドは、ランダム又はブロック付加体であってもよい。〕
【００４０】
【化３】
2004352943.tif 000004
【００４１】
〔式中、Ｒ４ａは前記の意味を示す。ｊ及びｋの合計は３〜１５０の数である。〕
本発明では、貯蔵安定性を向上させる目的でハイドロトロープ剤〔以下、（ｇ）成分という〕を含有させることが好ましい。
【００４２】
ハイドロトロープ剤としては、トルエンスルホン酸、キシレンスルホン酸、クメンスルホン酸及びこれらのナトリウム、カリウム又はマグネシウム塩が良好であり、特にｐ−トルエンスルホン酸又はその塩が良好である。
【００４３】
本発明では、貯蔵安定性の改善を目的に、及び粘度調節剤として溶剤〔以下、（ｈ）成分という〕を含有させることができる。溶剤としては、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテルから選ばれる水溶性有機溶媒が好ましい。
【００４４】
本発明では、ゲル化防止のための重合体、例えば特表平１１−５１３０６７号公報に記載されているゲル化防止重合体〔以下、（ｉ）成分という〕、とりわけポリアルキレングリコールを配合することが粘度調節及び貯蔵安定性の点から好ましい。
【００４５】
ポリアルキレングリコールとしては、ポリエチングリコールを標準としたときのゲルパーミエーションクロマトグラフィーによって求められた重量平均分子量が２００〜３０００のポリプロピレングリコール、及びポリエチレングリコールが挙げられる。
【００４６】
＜液体洗浄剤組成物＞
本発明の組成物における各成分の含有量は、以下のとおりである。
【００４７】
（ａ）成分は、０．１〜１０質量％、好ましくは０．３〜７質量％、より好ましくは０．５〜５質量％含有する。
【００４８】
（ｂ）成分は、５〜５０質量％、好ましくは１０〜４５質量％、より好ましくは１０〜４０質量％含有することが、洗浄効果の点から好ましい。
【００４９】
（ｃ）成分は、１〜１５質量％、好ましくは１〜１０質量％、より好ましくは２〜１０質量％含有する。
【００５０】
（ｂ）及び（ｃ）成分は、（ｂ）成分／（ｃ）成分の含有量の質量比が、２０／１〜１／１、更に１０／１〜１／１、特に５／１〜１／１の範囲であることが、洗浄力及び泡立ち性の点から好適である。
【００５１】
（ａ）、（ｂ）及び（ｃ）成分は、〔（ｂ）成分＋（ｃ）成分〕／（ａ）成分の質量比が、好ましくは２００／１〜１／１、より好ましくは１００／１〜１．５／１、最も好ましくは２０／１〜２／１の範囲である。（ａ）、（ｂ）及び（ｃ）成分の質量比が前記範囲を満たさない場合、食器洗浄時のぬるつきを抑制することができず、泡立ち性が抑制される傾向にあるため好ましくない。
【００５２】
本発明の（ｅ）成分は、（ｂ）成分との相互作用により高い洗浄効果を得ることができ、さらに（ａ）成分と併用することでぬるつきをより低減化することができるため、含有させることが好ましい。（ｅ）成分は、マグネシウムとして０．０１〜２質量％、更に０．０５〜１質量％、特に０．１〜１質量％含有することが好ましい。
【００５３】
（ｂ）及び（ｅ）成分は、（ｂ）成分／（ｅ）成分（マグネシウムとして）のモル比が３００／１〜１／１、更に１００／１〜１／１、特に５０／１〜２／１であることが好ましい。
【００５４】
本発明の（ｆ）成分は、洗浄効果の増強、及び貯蔵安定性を改善する目的から含有させることが好ましく、特に一般式（３）の化合物は泡立ち性を改善することができるので好ましい。しかしながら、多量配合は食器洗浄時のぬるつきを助長し、（ａ）成分の効果を減じる傾向にある。このため、組成物中の（ｆ）成分の含有量は、０．１〜２０質量％、更に０．５〜１５質量％、特に１．０〜１５質量％が好適である。
【００５５】
なお、本発明の効果が顕著に得られる要件として、〔（ａ）成分＋（ｂ）成分＋（ｃ）成分〕／〔（ａ）成分＋（ｂ）成分＋（ｃ）成分＋（ｆ）成分〕の質量比は０．５以上が好ましく、０．６以上がより好ましく、０．７以上が更に好ましく、洗浄力向上の観点からも前記質量比を満たすことが望ましい。
【００５６】
本発明の（ｇ）成分は、貯蔵安定性の点から含有させることが好ましく、組成物中に０．１〜１０質量％、更に０．５〜１０質量％、特に１〜６質量％が好適である。
【００５７】
本発明の（ｈ）成分及び（ｉ）成分は、貯蔵安定性の向上の点で含有させることが好ましく、また粘度調節剤としても有効である。（ｈ）成分は、組成物中に１〜２０質量％、更に３〜２０質量％、特に５〜１５質量％、（ｉ）成分は、組成物中に０．０５〜１０質量％、更に０．０５〜５質量％、特に０．１〜３質量％が好適である。
【００５８】
本発明の組成物は、上記成分を（ｄ）成分である水に溶解又は分散させた液状の形態であり、水の含有量は貯蔵安定性の点から、好ましくは２０〜６０質量％、より好ましくは３０〜６０質量％、更に好ましくは４０〜６０質量％、特に好ましくは４５〜５５質量％である。
【００５９】
本発明の組成物は、２０℃におけるｐＨが６〜８、好ましくは６．５〜７．５にすることが、貯蔵安定性や皮膚への安全性の点から好ましい。ｐＨ調整剤としては、塩酸や硫酸など無機酸、クエン酸、コハク酸、リンゴ酸、フマル酸、酒石酸、マロン酸、マレイン酸などの有機酸などの酸剤、水酸化ナトリウムや水酸化カリウム、アンモニアやその誘導体、モノエタノールアミンやジエタノールアミン、トリエタノールアミンなどのアミン塩など、炭酸ナトリウム、炭酸カリウムなどのアルカリ剤を、単独もしくは組み合わせて用いることが好ましく、特に塩酸、硫酸、クエン酸から選ばれる酸と水酸化ナトリウムや水酸化カリウムから選ばれるアルカリ剤を用いることが好ましい。
【００６０】
本発明の組成物は、使い勝手の点から、２０℃における粘度が、好ましくは１０〜１０００ｍＰａ・ｓ、より好ましくは３０〜７００ｍＰａ・ｓ、特に好ましくは５０〜５００ｍＰａ・ｓである。このような粘度範囲は、例えば上記（ｇ）成分、（ｈ）成分、（ｉ）成分などを用いて調整する。
【００６１】
本発明でいう粘度は、次のようにして測定する。まず、ＴＯＫＩＭＥＣ．ＩＮＣ製Ｂ型粘度計モデルＢＭに、ローター番号Ｎｏ．３のローターを備え付けたものを準備する。試料をトールビーカーに充填し、２０℃の恒温槽内にて２０℃に調整する。恒温に調整された試料を粘度計にセットする。ローターの回転数を３０ｒ／ｍに設定し、回転を始めてから６０秒後の粘度を本発明でいう粘度とする。
【００６２】
その他の成分としては、粘度特性に影響のない限り、通常液体洗浄剤に配合されている成分を配合することができる。例えば、香料成分、除菌成分、防腐剤、濁り剤、着色剤が挙げられる。
【００６３】
本発明の組成物は、食器、各種調理器具の洗浄等の台所用、台所回りの洗浄などの硬質表面用（特に台所用）として好適である。
【００６４】
本発明の組成物は、組成物をスポンジなどの可撓性材料（好ましくは水を含む）に染み込ませ、直接食器や調理用器具に接触させて（擦って）洗浄する方法に適用できる。この洗浄方法を実施することにより、洗浄時において食器等の硬質表面のぬるつきを抑制し、濯ぎ時においてぬるつきを速やかに洗い流すことができる。この効果は（ａ）成分を含有することによる特有の効果であり、（ａ）成分の類似化合物を用いても同様の効果を得ることはできない。
【００６５】
【発明の効果】
本発明の液体洗浄剤組成物によれば、泡立ち及び洗浄性が良く、洗浄時には食器や調理器具等の硬質表面のぬるつきが少なく、濯ぎ時にはぬるつきが速やかに除かれる。
【００６６】
【実施例】
表１に示す成分を用いて、液体洗浄剤組成物を調製した。これら組成物の泡立ち性、感触、洗浄力を下記の方法で評価した。結果を表１に示す。
【００６７】
＜泡立ち性の測定＞
市販の新品スポンジ（可撓性吸収体、キクロン）を水道水でもみ洗いし、水道水の含有量が１５ｇになるまで絞った。表１の組成物の１質量％水溶液３０ｇを、スポンジに染み込ませ陶器皿上に置いた。スポンジと同じ大きさのプラスチックプレートを用いて、皿上のスポンジを手で２回圧縮した。スポンジから出た泡をメスシリンダーに回収し、泡の体積（ｍｌ）を測定した。
【００６８】
＜感触評価＞
サラダ油に０．１質量％の色素（スダンレッド）を均一に混ぜ込んだモデル油汚れ１ｇを、陶器皿に均一に塗り広げたものをモデル汚染食器とした。
【００６９】
市販の新品スポンジ（可撓性吸収体、キクロン）を水道水でもみ洗いし、水道水の含有量が１５ｇになるまで絞った後、表１の組成物１ｇと水道水３０ｇを染み込ませた。モデル汚染食器上で上記スポンジを２〜３回手でもみ、泡立たせた後、モデル汚染食器５枚を擦り洗いし、洗っている最中のぬるつきを下記基準で官能評価した。
【００７０】
次に、擦り洗いしたモデル汚染食器を水道水で濯ぎ、濯いでいる最中のぬるつきのとれやすさ（ぬるつきがなくなるまでに要した時間の相対評価）を下記基準で官能評価した。
【００７１】
［洗浄時のぬるつきの基準］
あまりぬるつかない：○
ややぬるつく：△
非常にぬるつく：×
［濯ぎ時のぬるつきのとれやすさの基準］
すぐにぬるつきがとれる：○
ぬるつきがとれるまでにやや時間がかかる：△
ぬるつきがとれるまでに時間がかかる：×
＜洗浄力試験＞
サラダ油に０．１質量％の色素（スタンレッド）を均一に混ぜ込んだモデル油汚れ１ｇを、ポリプロピレン製の皿に均一に塗り広げたものをモデル汚染食器とした。
【００７２】
市販の新品スポンジ（可撓性吸収体、キクロン）を水道水でもみ洗いし、水道水の含有量が１５ｇになるまで絞った後、表１の組成物１ｇと水道水３０ｇを染み込ませた。モデル汚染食器上で上記スポンジを２〜３回手でもみ泡立たせた後、モデル汚染食器を擦り洗いし、洗浄できた皿の枚数（食器に付着した色が消えることにより確認）を求めた。
【００７３】
【表１】
2004352943.tif 000005
【００７４】
本発明品と比較品１との対比から明らかなとおり、（ａ）成分を含有することにより、比較品１と同等以上の泡立ち性及び洗浄力が得られており、洗浄時のぬるつきも少なく、濯ぎ時には速やかにぬるつきが除かれている。
【００７５】
更に本発明品と比較品２〜４との対比から明らかなとおり、（ａ）成分である一般式（１）の化合物と類似構造の化合物を用いた場合でも、本願発明と同等の効果を得ることはできない。
【００７６】
次に、表２に本発明の液体洗浄剤組成物を台所用（食器や調理器具等の硬質表面用）として適用する場合の配合例を示す。
【００７７】
【表２】
2004352943.tif 000006
【００７８】
（注）表中の記号は以下のものを表す。
・２ＥＨ−ＡＯ２：２−エチルヘキシルアルコールにエチレンオキシドを平均２モル付加させた化合物（２−エチルヘキシルアルコールの含有量１質量％以下）
・２ＥＨ−ＡＯ４：２−エチルヘキシルアルコールにエチレンオキシドを平均４モル付加させた化合物（２−エチルヘキシルアルコールの含有量１質量％以下）
・２ＥＨ−ＡＯ５：２−エチルヘキシルアルコールにエチレンオキシドを平均５モル付加させた化合物（２−エチルヘキシルアルコールの含有量１質量％以下）
・２ＥＨ−ＡＯ６：２−エチルヘキシルアルコールにエチレンオキシドを平均６モル付加させた化合物（２−エチルヘキシルアルコールの含有量１質量％以下）
・Ｃ６−ＡＯ４：ｎ−ヘキシルアルコールにエチレンオキシドを平均４モル付加させた化合物
・Ｃ８−ＡＯ４：ｎ−オクチルアルコールにエチレンオキシドを平均４モル付加させた化合物
・ＥＳ−Ｉ：ポリオキシエチレンアルキルエーテル硫酸エステルナトリウム〔原料アルコールは、１−デセン及び１−ドデセン５０／５０（質量比）を原料にヒドロホルミル化して得られたアルコールである。このアルコールにＥＯを平均２モル付加させた後、三酸化イオウにより硫酸化し、水酸化ナトリウムで中和した。全ポリオキシエチレンアルキルエーテル硫酸エステルナトリウム中の全ポリオキシエチレン分岐鎖アルキルエーテル硫酸エステルナトリウムの割合は４２質量％であった。〕
・ＥＳ−ＩＩ：ポリオキシエチレンココナッツアルキルエーテル硫酸エステルアンモニウム（ＥＯ平均付加モル数２モル）
・ＥＳ−ＩＩＩ：ポリオキシエチレンラウリルエーテル硫酸エステルアンモニウム（ＥＯ平均付加モル数４モル）
・ＡＯ−Ｉ：Ｎ−ラウリル−Ｎ，Ｎ−ジメチルアミンオキシド
・ＡＯ−ＩＩ：Ｎ−ラウリン酸アミドプロピル−Ｎ，Ｎ−ジメチルアミンオキシド・ノニオン−Ｉ：炭素数１２、１３混合アルキル２級アルコールに、ＥＯを平均７モル付加させたもの（ソフタノール７０Ｈ、日本触媒株式会社製）
・スルホベタイン：Ｎ−ラウリル−Ｎ，Ｎ−ジメチル−Ｎ−（２−ヒドロキシ−１−スルホプロピル）アンモニウムスルホベタイン
・ｐ−ＴＳ：ｐ−トルエンスルホン酸ナトリウム
・ＰＧ：プロピレングリコール
・防腐剤：プロキセルＢＤＮ（アビシア株式会社製）
・ｐＨ：１Ｎ−硫酸水溶液又は１Ｎ−水酸化ナトリウムのｐＨ調整剤を用いて調整した。